(57)【特許請求の範囲】
【請求項１】
前面の開口した収納庫本体と、この収納庫本体の開口を開閉自在に塞ぐ扉板とを具備するガスボンベ収納庫において、
前記収納庫本体は、底板と、前記底板の左右両縁から立設される側板と、前記底板の後縁から立設される背板と、前記側板と前記背板の上方に支持される天板とから成り、
これら底板、側板、背板及び天板を、分離及び組立自在に設け、
前記扉板には、前記扉板の前面に配されるハンドル部と、前記扉板の背面に配されて前記ハンドル部の操作に応じて上下方向にスライド移動するロックバーとを備え、
前記収納庫本体には、前記底板上にて起倒自在に装着されるロック柱を備え、
前記底板上にて横臥姿勢とされた前記ロック柱に対して、下方にスライド移動されたロックバーの下端部が係止されることで、前記扉板がロックされるように設けたことを特徴とするガスボンベ収納庫。
【請求項２】
前記底板の左右両縁から、上下に長い貫通孔を有する側部差込片を立設し、
前記側板の下端部には、前記側部差込片が挿入される差込口を設け、
前記側板の前記差込口内の空隙部分には、固定孔を有するスペーサを設け、
前記差込口内に前記側部差込片が挿入された状態で、前記貫通孔を通じて挿入した固定具を前記固定孔に螺合させることで、前記側部差込片と前記側板とを結合させるように設けたことを特徴とする請求項１に記載のガスボンベ収納庫。
【請求項３】
前記底板の左右両縁から側部差込片を立設し、
前記側板の下端部には、前記側部差込片が挿入される差込口を設け、
前記側板の前記差込口内の空隙部分には、固定孔を有するスペーサを設け、
前記差込口内に前記側部差込片が挿入された状態で、前記側板の内側から挿入した固定具を前記固定孔に螺合させることで、前記側部差込片と前記側板とを結合させるように設けたことを特徴とする請求項１に記載のガスボンベ収納庫。
【請求項４】
前記天板の左右両縁から側部差込片を立設し、
前記側板の上端部には、前記側部差込片が挿入される差込口を設け、
前記側板の前記差込口内の空隙部分には、固定孔を有するスペーサを設け、
前記差込口内に前記側部差込片が挿入された状態で、前記側板の内側から挿入した固定具を前記固定孔に螺合させることで、前記側部差込片と前記側板とを結合させるように設けたことを特徴とする請求項１〜３のいずれか一項に記載のガスボンベ収納庫。
【発明の詳細な説明】
【技術分野】
【０００１】
本発明は、ガスボンベを収納しておくためのガスボンベ収納庫に関する。
【背景技術】
【０００２】
ガスボンベを収納しておくため、特許文献１等に記載のガスボンベ収納庫が用いられる。このガスボンベ収納庫は、前面の開口した収納庫本体と、この収納庫本体の開口を開閉自在に塞ぐ扉板とを備えたものであり、内部空間にガスボンベを収納しておくために、全体として或る程度の大きさが要求される。
【０００３】
そのため、このガスボンベ収納庫を研究室等に搬入するにあたり、通路の途中にエアーシャワー装置等が設置されているような場合には、その箇所において通路が狭くなり、通路を通じての搬入が困難になるという問題がある。
【先行技術文献】
【特許文献】
【０００４】
【特許文献１】特開平６−４２７００号公報
【発明の概要】
【発明が解決しようとする課題】
【０００５】
本発明は前記問題点に鑑みて発明したものであって、通路が狭いような場合であっても簡単に搬入することができ、使い勝手のよいガスボンベ収納庫を提供することを、課題とする。
【課題を解決するための手段】
【０００６】
前記課題を解決するために、本発明を、下記構成を具備したガスボンベ収納庫とする。
【０００７】
本発明は、前面の開口した収納庫本体と、この収納庫本体の開口を開閉自在に塞ぐ扉板とを具備するガスボンベ収納庫において、前記収納庫本体は、底板と、前記底板の左右両縁から立設される側板と、前記底板の後縁から立設される背板と、前記側板と前記背板の上方に支持される天板とから成り、これら底板、側板、背板及び天板を、分離及び組立自在に設けている。
【０００８】
前記扉板には、前記扉板の前面に配されるハンドル部と、前記扉板の背面に配されて前記ハンドル部の操作に応じて上下方向にスライド移動するロックバーとを備え、前記収納庫本体には、前記底板上にて起倒自在に装着されるロック柱を備えている。そして、前記底板上にて横臥姿勢とされた前記ロック柱に対して、下方にスライド移動されたロックバーの下端部が係止されることで、前記扉板がロックされるように設けたことを特徴とする。
【０００９】
さらに、本発明では、前記底板の左右両縁から、上下に長い貫通孔を有する側部差込片を立設し、前記側板の下端部には、前記側部差込片が挿入される差込口を設け、前記側板の前記差込口内の空隙部分には、固定孔を有するスペーサを設け、前記差込口内に前記側部差込片が挿入された状態で、前記貫通孔を通じて挿入した固定具を前記固定孔に螺合させることで、前記側部差込片と前記側板とを結合させるように設けることが好ましい。
【００１０】
また、本発明では、前記底板の左右両縁から側部差込片を立設し、前記側板の下端部には、前記側部差込片が挿入される差込口を設け、前記側板の前記差込口内の空隙部分には、固定孔を有するスペーサを設け、前記差込口内に前記側部差込片が挿入された状態で、前記側板の内側から挿入した固定具を前記固定孔に螺合させることで、前記側部差込片と前記側板とを結合させるように設けることも好ましい。
【００１１】
さらに、本発明では、前記天板の左右両縁から側部差込片を立設し、前記側板の上端部には、前記側部差込片が挿入される差込口を設け、前記側板の前記差込口内の空隙部分には、固定孔を有するスペーサを設け、前記差込口内に前記側部差込片が挿入された状態で、前記側板の内側から挿入した固定具を前記固定孔に螺合させることで、前記側部差込片と前記側板とを結合させるように設けることも好ましい。
【発明の効果】
【００１２】
本発明は、通路が狭いような場合であっても簡単に搬入することができ、使い勝手のよいガスボンベ収納庫を提供することができるという効果を奏する。
【図面の簡単な説明】
【００１３】
【図１】本発明の第一実施形態のガスボンベ収納庫を前方から視た全体図である。
【図２】同上のガスボンベ収納庫を側方から視た全体図である。
【図３】同上のガスボンベ収納庫を構成する背板の正面図である。
【図４】図３のＡ−Ａ線断面図である。
【図５】同上のガスボンベ収納庫を構成する側板の正面図である。
【図６】同上のガスボンベ収納庫を構成する他の側板の正面図である。
【図７】同上のガスボンベ収納庫を構成する天板とこれに装着される背板及び側板を示す斜視図である。
【図８】同上のガスボンベ収納庫を構成する底板とこれに装着される背板を示す斜視図である。
【図９】同上のガスボンベ収納庫を構成する一対の扉板を示す正面図である。
【図１０】同上のガスボンベ収納庫のロック柱を起こした状態を示す斜視図である。
【図１１】同上のガスボンベ収納庫のロック柱を倒した状態を示す斜視図である。
【図１２】同上のガスボンベ収納庫の扉板をロックした状態を示す斜視図である。
【図１３】本発明の第二実施形態のガスボンベ収納庫の底板側の結合構造を示す正断面図である。
【図１４】同上のガスボンベ収納庫の底板を示す正断面図である。
【図１５】同上のガスボンベ収納庫の側板を示す正断面図である。
【図１６】同上のガスボンベ収納庫の底板を傾けて結合させた場合の結合構造を示す正断面図である。
【図１７】同上のガスボンベ収納庫の天板側の結合構造を示す正断面図である。
【図１８】同上のガスボンベ収納庫の扉板の結合構造を示す平断面図である。
【図１９】本発明の第三実施形態のガスボンベ収納庫の底板側の結合構造を示す正断面図である。
【図２０】同上のガスボンベ収納庫の天板側の結合構造を示す正断面図である。
【発明を実施するための形態】
【００１４】
本発明を、添付図面に示す実施形態に基づいて説明する。図１〜図１２には、本発明の第一実施形態のガスボンベ収納庫を示しており、図１３〜図１８には第二実施形態のガスボンベ収納庫、図１９には第三実施形態のガスボンベ収納庫をそれぞれ示している。
【００１５】
本実施形態のガスボンベ収納庫は、図１や図２に示すように、開口を有する収納庫本体２と、収納庫本体２の開口を塞ぐ一対の扉板４とを備える。本文中では、収納庫本体２が開口する側を前側と規定して、前後左右等の各方向を用いる。
【００１６】
収納庫本体２は、矩形状をなす底板６と、底板６の左右両側の端縁部から鉛直方向に立設される一対の側板８と、底板６の後側の端縁部から鉛直方向に立設される背板１０と、一対の側板８と背板１０によって上方に支持される天板１２とを有する。
【００１７】
図３、図４に示すように、収納庫本体２を構成する背板１０は、矩形状を有する平板１４の上下両端縁部に、差込口１６を形成したものである。下側の差込口１６は、平板１４の下端縁部の前面側に、僅かな空隙部分を介して係止片１８を一体に設けることで、下方に開口して形成される。上側の差込口１６は、平板１４の上端縁部の前面側に、僅かな空隙部分を介して同様の係止片１８を設けることで、上方に開口して形成される。
【００１８】
上下の係止片１８には、貫通孔２０がそれぞれ一対形成されており、平板１４のうち各貫通孔２０と対向する箇所には、同様の寸法形状で貫通孔２２が形成されている。
【００１９】
図５、図６には、収納庫本体２を構成する左右の側板８を示している。側板８の基本的な構造は左右同一であり、背板１０と同様、上下に細長い矩形状を有する平板２４の上下両端縁部に、僅かな空隙部分を介して係止片２６を設けることで、差込口２７を形成している。そして、上下の係止片２６に貫通孔２８がそれぞれ一対形成され、平板２４のうち各貫通孔２８と対向する箇所にも貫通孔２９が形成される。
【００２０】
また、一方の側板８の下端部内面には、図５に示すように、四角柱形状を有するロック柱３０が回動自在に取り付けられる。もう一方の側板８の下端部内面には、図６に示すように、このロック柱３０の先端部と係合する片部材３２を設けている。
【００２１】
天板１２は、図７に斜視で示すように、吸気手段３３が配される貫通孔３４を中央に有する箱型のブロックであり、その下面後縁部から薄板状の後部差込片３６が下方に延設され、下面の左右両側縁部からは、それぞれ薄板状の側部差込片３８が下方に延設されている。各差込片３６，３８には、それぞれ貫通孔４０が一対形成されている。
【００２２】
ここで、天板１２の後部差込片３６を、背板１０上端の差込口１６内に挿入し、この状態で一連となる貫通孔２０，４０，２２に固定具５０（図２参照）を締結させることで、天板１２と背板１０が着脱自在に結合される。同様に、天板１２の側部差込片３８を、側板８上端の差込口２７内に挿入し、この状態で一連となる貫通孔２８，４０，２９に固定具５０（図１、図２参照）を締結させることで、天板１２と側板８が着脱自在に結合される。
【００２３】
底板６は、図８に斜視で示すように、平面視矩形状をなす平板４２の後縁部から、薄板状の後部差込片４４が上方に延設され、平板４２の左右両側部から側部差込片４６がそれぞれ上方に延設されたものである。各差込片４４，４６には、それぞれ貫通孔４８が一対形成されている。
【００２４】
この底板６の後部差込片４４を、背板１０下端の差込口１６内に挿入し、この状態で一連となる貫通孔２０，４８，２２に固定具５０（図２、図１０等参照）を締結させることで、底板６と背板１０が着脱自在に結合される。同様に、底板６の側部差込片４６を、側板８下端の差込口２７内に挿入し、この状態で一連となる貫通孔２８，４８に固定具５０を締結させることで、底板６と側板８が着脱自在に結合される。
【００２５】
上述のように底板６、側板８、背板１０及び天板１２を結合させることで、収納庫本体２が形成される。この収納庫本体２は、各部材６，８，１０，１２に分離自在である。
【００２６】
一対の扉板４は、一方が左側の側板８の前端縁にヒンジ５２を介して枢支され、他方が右側の側板８の前端縁にヒンジ５２を介して枢支される。図９に示すように、両扉板４は、透明の窓５４を上部に有し、通気口５６を下部に有する。そして、扉板４の前面のうち窓５４と通気口５６の間の箇所５７に、扉の施解錠を操作するＬ字型のハンドル部５８（図１参照）が、回動自在に配置される。ハンドル部５８は、先端を下方にむけた施錠位置と、先端を側方にむけた解錠位置との間で、回動操作される。
【００２７】
扉板４の背面側には、このハンドル部５８の回動操作によって上下方向にスライド操作されるロックバー６０が、上下に対をなして配置される（図１参照）。上側のロックバー６０は、ハンドル部５８が施錠位置にあるときに、その上端部を天板１２下面の突条部６２（図７参照）に後方から係合させる。突条部６２は、天板１２の下面前端部に一体形成されたものである。ハンドル部５８を解錠位置に回動させると、上側のロックバー６０は下方にスライド移動し、突条部６２との係合を解除する。
【００２８】
下側のロックバー６０の下端部は、ハンドル部５８が施錠位置にあるときに、横臥姿勢のロック柱３０に対して後方から係合するように設けている（図１２参照）。ハンドル部５８を解錠位置に回動させると、下側のロックバー６０は上方にスライド移動し、ロック柱３０との係合を解除する。
【００２９】
通常は、ハンドル部５８を施錠位置にセットし、上下両側のロックバー６０で扉板４をロックさせておく。そして、ガスボンベ６４を出し入れする際には、ハンドル部５８を回転させてロックバー６０によるロックを解除する。
【００３０】
ロック解除後、実際にガスボンベ６４を出し入れする前には、横臥姿勢にセットされていたロック柱３０の先端を持ち上げ、側板８に沿う起立姿勢（図１０参照）にセットする。これにより、ロック柱３０が邪魔になることなく、薄板状の底板６上でガスボンベ６４を容易に出し入れすることができる。
【００３１】
そして、ガスボンベ６４の出し入れが完了すれば、ロック柱３０を再び横臥姿勢に戻せばよい。ロック柱３０の先端部にはスリット状の係合孔６６を設けており、この係合孔６６に、側板８に設けた片部材３２が係合することで、ロック柱３０は横臥姿勢において前後移動が拘束される。
【００３２】
なお、図１０や図１１に示す例では、背の低いガスボンベ（図示略）を収容するための台座部６８を、底板６の上面に着脱自在に装着している。台座部６８は、円筒の上側部分を傾斜面上で切り落とした形状を有する周縁部７０と、この周縁部７０内に配される水平板７２と、周縁部７０の下端から径方向外側に延設されるフランジ部７４とから成る。この台座部６８は、周縁部７０の上端が前斜め下方に傾斜する姿勢で、底板６に取り付けられる。背の低いガスボンベは、水平板７２上に配置されることで、背の高いガスボンベ６４と略同一の高さにセットされる。また、背板１０側には、ガスボンベの種類に応じた複数種の受け片７６が、着脱自在に装着される。
【００３３】
図１３〜図１８には、本発明の第二実施形態のガスボンベ収納庫の要部を示している。以下において、第一実施形態と同様の構成については、同一符号を付して詳しい説明を省略する。
【００３４】
まず、底板６に、側板８や背板１０を結合させるための構造について述べる。
【００３５】
図１３や図１５に断面で示すように、本実施形態においては、側板８をなす平板２４の下端縁部の内側に、第一実施形態よりも大きな空隙部分を介して係止片２６を設けている。この係止片２６と平板２４との間には、第一実施形態の場合よりも大きな開口幅で差込口２７が形成されている。係止片２６のうち平板２４と対向する面には、板状のスペーサ７８を固定している。このスペーサ７８には、固定孔８０を貫通形成している。固定孔８０は、雌ネジを有するものであり、係止片２６の貫通孔２８と一直線に連通するように設けている。
【００３６】
側板８の平板２４の下端縁部には、固定孔８０や貫通孔２８と対向する箇所に、貫通孔８１を形成している。この貫通孔８１は、第一実施形態の貫通孔２９よりも大径に形成されている。
【００３７】
さらに本実施形態においては、図１３や図１４に断面で示すように、底板６をなす平板４２の左右両側部から上方に延設される側部差込片４６を、略クランク状に屈曲形成している。側部差込片４６は、一直線状の基端部分８２とこれよりも内側に位置する一直線状の先端部分８４との間を、両部分８２，８４に対して４５度傾斜した段差部分８６を介して連続させたものである。この側部差込片４６の先端部分８４に、上下方向に細長いスリット状の貫通孔４８が形成されている。
【００３８】
底板６をなす平板４２の後部から延設される後部差込片４４も、側部差込片４６と同様の略クランク形状を有し、上下に細長いスリット状の貫通孔４８を形成している。また、背板１０をなす平板１４の下端縁部や係止片１８の構成も、側板８の上記構成と同様に設けている。
【００３９】
本実施形態において、底板６と側板８とを結合させるには、底板６の側部差込片４６を、側板８下端の差込口２７内に挿入し、この状態で一連となる貫通孔４８、固定孔８０及び貫通孔２８内に、平板２４の貫通孔８１を通じて外側から固定具５０を挿入し、固定具５０の雄ネジ部分と固定孔８０の雌ネジ部分とを螺合させる。このとき、固定具５０のヘッド部分とスペーサ７８との間で、側部差込片４６の先端部分８４が挟み込まれ、側部差込片４６と側板８とが結合される。固定具５０の外側のヘッド部分は、平板２４と係止片２６の間の空隙部分に収納され、側板８から外側に突出して邪魔になることが防止される。
【００４０】
同様に、底板６と背板１０とを結合させるには、底板６の後部差込片４４を、背板１０下端の差込口１６内に挿入し、外側から固定具５０を挿入して螺合させればよい。このときも、固定具５０のヘッド部分は、平板１４と係止片１８の間の空隙部分に収納され、背板１０から外側に突出して邪魔になることが防止される。
【００４１】
また、底板６が有する側部差込片４６や後部差込片４４の貫通孔４８を、上下方向に細長いスリット状に設けているので、固定具５０は、貫通孔４８内の所定範囲内で上下スライド自在である。したがって、例えば床面が傾いているような場合は、図１６に示すように、各貫通孔４８内での固定具５０の固定位置を適当な上下位置に設定することにより、底板６以外の部分を直立姿勢に保つことができる。
【００４２】
次に、天板１２に、側板８や背板１０を結合させるための構造について述べる。
【００４３】
図１７に断面で示すように、天板１２に側板８や背板１０を結合させる構造は、基本的に、底板６に側板８や背板１０を結合させる上述の構造を上下反転させたものである。なお、天板１２の側部差込片３８や後部差込片３６に設けた貫通孔４０は、底板６の貫通孔４８のように上下に細長い形状ではない。
【００４４】
そのため、天板１２と側板８とを結合させるには、略クランク状である側部差込片３８を、側板８上端の差込口２７内に挿入し、この状態で、貫通孔８１を通じて側板８の外側から固定具５０を挿入する。そして、側部差込片３８の貫通孔４０を通じて、固定具５０の雄ネジ部分をスペーサ７８の固定孔８０に螺合させ、固定具５０のヘッド部分とスペーサ７８との間で側部差込片３８を挟み込む。このとき、固定具５０のヘッド部分は、側板８の平板２４と上側の係止片２６の間の空隙部分に収納され、側板８から外側に突出して邪魔になることが防止される。
【００４５】
同様に、天板１２と背板１０とを結合させるには、略クランク状である後部差込片３６を、背板１０上端の差込口１６内に挿入し、貫通孔２２を通じて背板１０の外側から固定具５０を挿入する。そして、後部差込片３６の貫通孔４０を通じて固定具５０を締め付け、天板１２の後部差込片３６と背板１０を結合させる。このとき、固定具５０のヘッド部分は、背板１０の平板１４と上側の係止片１８の間の空隙部分に収納され、背板１０から外側に突出して邪魔になることが防止される。
【００４６】
次に、側板８に扉板４を取り付けるための構造について述べる。図１８に示すように、本実施形態では、Ｌ字型の裏蝶番をヒンジ５２として用い、該ヒンジ５２を扉板４の裏側に隠れるように取り付けている。このヒンジ５２は、側板８の平板２４より内側方に凹んだ箇所に取り付けており、扉板４の回動位置に関わらず、常にヒンジ５２が側板８よりも外側方に突出することがないように設けている。
【００４７】
以上、説明したように、本実施形態のガスボンベ収納庫によれば、収納庫本体２を組立てるための固定具５０や、収納庫本体２に扉板４を取り付けるためのヒンジ５２が、収納庫本体２の外周面からはみ出ることがない。そのため、複数の収納庫本体２を左右に配列する場合に、互いの固定具５０やヒンジ５２が邪魔にならず、密着配列させることが容易となる。さらに、本実施形態のガスボンベ収納庫によれば、床面がフラットでなく多少の傾きを有する場合でも、収納庫本体２全体が傾くことが防止される。
【００４８】
図１９、図２０には、本発明の第三実施形態のガスボンベ収納庫の要部を示している。以下において、第二実施形態と一致する構成については、同一符号を付して詳しい説明を省略する。
【００４９】
本実施形態のガスボンベ収納庫では、複数の収納庫本体２を密着配列するような場合でも、固定具５０による組み立て作業や調整作業を行いやすくするために、固定具５０を収納庫本体２の内側から挿入する構造を採用している。
【００５０】
まず、底板６に側板８を結合させるための構造について述べる。図１９に断面で示すように、本実施形態においては、固定孔８０が形成された板状のスペーサ７８を、側板８をなす平板２４のうち係止片２６と対向する面に、固定している。そして、固定具５０を挿入するための貫通孔８１は、係止片２６のうち固定孔８０と対向する箇所に形成している。
【００５１】
また、底板６をなす平板４２の左右両側部から上方に延設される側部差込片４６は、クランク状ではなく一直線状に形成している。側部差込片４６には、第二実施形態と同様に、上下に細長いスリット状の貫通孔４８が形成されている。スペーサ７８の固定孔８０と、側部差込片４６の貫通孔４８と、係止片２６の貫通孔８１とは、側板８下端の差込口２７内に側部差込片４６を挿入した状態で、一直線に連通するように設けている。
【００５２】
本実施形態において、底板６と側板８とを結合させるには、底板６の側部差込片４６を、側板８下端の差込口２７内に挿入する。この状態で、係止片２６の貫通孔８１を通じて内側から固定具５０を挿入し、側部差込片４６の貫通孔４８を通じて、固定具５０の雄ネジ部分を固定孔８０の雌ネジ部分に螺合させる。このとき、固定具５０のヘッド部分とスペーサ７８との間で、側部差込片４６が挟み込まれ、側部差込片４６と側板８とが結合される。このとき固定具５０は、平板２４と係止片２６の間の空隙部分に全体が収納され、固定具５０が邪魔になることが防止される。
【００５３】
底板６に背板１０を結合させるための構造も、前記構造と同様である。そのため、底板６と背板１０とを結合させるには、底板６の後部差込片４４を、背板１０下端の差込口１６内に挿入し、内側から固定具５０を挿入して螺合させる。このときも、固定具５０は、平板１４と係止片１８の間の空隙部分に全体が収納され、固定具５０が邪魔になることが防止される。
【００５４】
本実施形態においても、底板６が有する側部差込片４６や後部差込片４４の貫通孔４８は、上下方向に細長いスリット状であり、例えば床面が傾いているような場合には、各貫通孔４８内での固定具５０の固定位置を適当な上下位置に設定することにより、底板６以外の部分を直立姿勢に保つことができる。
【００５５】
次に、天板１２に側板８や背板１０を結合させるための構造について述べる。図２０に断面で示すように、この構造は基本的に、底板６に側板８や背板１０を結合させる図１９の構造を上下反転させたものである。なお、天板１２の側部差込片３８や後部差込片３６に設けられる貫通孔４０は、底板６の貫通孔４８のように上下に細長い形状には設けていない。
【００５６】
したがって、内側から固定具５０を挿入して天板１２と側板８を結合させたとき、固定具５０は、側板８の平板２４と上側の係止片２６の間の空隙部分に収納される。同様に、内側から固定具５０を挿入して天板１２と背板１０を結合させたとき、固定具５０は、背板１０の平板１４と上側の係止片１８の間の空隙部分に収納される。
【００５７】
以上、説明したように、第一〜第三実施形態のガスボンベ収納庫は、前面の開口した収納庫本体２と、この収納庫本体２の開口を開閉自在に塞ぐ扉板４とを具備する。収納庫本体２は、底板６と、底板６の左右両縁から立設される側板８と、底板６の後縁から立設される背板１０と、側板８と背板１０の上方に支持される天板１２とから成る。そして、これら底板６、側板８、背板１０及び天板１２を、分離及び組立自在に設けている。
【００５８】
したがって、このガスボンベ収納庫を研究室等に搬入するにあたり、途中にエアーシャワー装置等が設置されていて通路が狭くなっているような場合でも、分離された状態で各部材６，８，１０，１２を簡単に搬入して組立てることができ、使い勝手のよいガスボンベ収納庫となる。
【００５９】
また、各実施形態のガスボンベ収納庫において、扉板４には、この扉板４の前面に配されるハンドル部５８と、この扉板４の背面に配されてハンドル部５８の操作に応じて上下方向にスライド移動するロックバー６０とを備えている。収納庫本体２には、底板６上にて起倒自在に装着されるロック柱３０を備えている。そして、底板６上にて横臥姿勢とされたロック柱３０に対して、下方にスライド移動されたロックバー６０の下端部が係止されることで、扉板４がロックされるように設けている。
【００６０】
そのため、通常時は扉板４が不意に開放されないようにロックしておき、ガスボンベ６４を出し入れする場合には、ハンドル部５８を操作して前記ロックを解除し、扉板４を開いたうえでロック柱３０を起立姿勢にセットすることにより、このロック柱３０が作業の邪魔になることが防止される。出し入れ作業を終えた後、このロック柱３０は、底板６上に倒した横臥姿勢に再度セットすればよい。
【００６１】
また、第二及び第三実施形態のガスボンベ収納庫では、底板６の左右両縁から、上下に長い貫通孔４８を有する側部差込片４６を立設し、側板８の下端部には、側部差込片４６が挿入される差込口２７を設け、側板８の差込口２７内の空隙部分には、固定孔８０を有するスペーサ７８を設け、差込口２７内に側部差込片４６が挿入された状態で、貫通孔４８を通じて挿入した固定具５０を固定孔８０に螺合させることで、側部差込片４６と側板８とを結合させるように設けている。
【００６２】
これにより、簡単な作業で収納庫本体２を組立てることができる。そして、例えば設置箇所が壁際等であって床面が傾いているような場合でも、上下に長い各貫通孔４８内での固定具５０の上下位置を調整したうえで固定させることにより、底板６以外の部分を直立姿勢に保つことができる。
【００６３】
また、第三実施形態のガスボンベ収納庫では、底板６の左右両縁から側部差込片４６を立設し、側板８の下端部には、側部差込片４６が挿入される差込口２７を設け、側板８の差込口２７内の空隙部分には、固定孔８０を有するスペーサ７８を設け、差込口２７内に側部差込片４６が挿入された状態で、側板８の内側から挿入した固定具５０を固定孔８０に螺合させることで、側部差込片４６と側板８とを結合させるように設けている。
【００６４】
これにより、簡単な作業で収納庫本体２を組立てることができる。そして、底板６と側板８を結合させるための固定具５０は、収納庫本体２の内側からスペーサ７８の固定孔８０に挿入するので、この固定具５０が側板８から外側に突出して邪魔になることが防止される。
【００６５】
さらに、第三実施形態のガスボンベ収納庫では、天板１２の左右両縁から側部差込片３８を立設し、側板８の上端部には、側部差込片３８が挿入される差込口２７を設け、側板８の差込口２７内の空隙部分には、固定孔８０を有するスペーサ７８を設け、差込口２７内に側部差込片３８が挿入された状態で、側板８の内側から挿入した固定具５０を固定孔８０に螺合させることで、側部差込片３８と側板８とを結合させるように設けている。
【００６６】
これにより、簡単な作業で収納庫本体２を組立てることができる。そして、天板１２と側板８を結合させるための固定具５０は、収納庫本体２の内側からスペーサ７８の固定孔８０に挿入するので、この固定具５０が側板８から外側に突出して邪魔になることが防止される。
【００６７】
以上、本発明を添付図面に示す実施形態に基づいて説明したが、本発明は前記各実施形態に限定されるものではなく、本発明の意図する範囲内であれば、各実施形態の構成を組み合わせることや、適宜の設計変更を行うことが可能である。
【符号の説明】
【００６８】
２  収納庫本体
４  扉板
６  底板
８  側板
１０  背板
１２  天板
３０  ロック柱
５８  ハンドル部
６０  ロックバー
【図１】
0005351987.tif 000002
【図２】
0005351987.tif 000003
【図３】
0005351987.tif 000004
【図４】
0005351987.tif 000005
【図５】
0005351987.tif 000006
【図６】
0005351987.tif 000007
【図７】
0005351987.tif 000008
【図８】
0005351987.tif 000009
【図９】
0005351987.tif 000010
【図１０】
0005351987.tif 000011
【図１１】
0005351987.tif 000012
【図１２】
0005351987.tif 000013
【図１３】
0005351987.tif 000014
【図１４】
0005351987.tif 000015
【図１５】
0005351987.tif 000016
【図１６】
0005351987.tif 000017
【図１７】
0005351987.tif 000018
【図１８】
0005351987.tif 000019
【図１９】
0005351987.tif 000020
【図２０】
0005351987.tif 000021